(57)【要約】【課題】排水ホースの形状を単純化し洗濯機における良好な排水ホースを提供すること。【解決手段】垂直方向に構成した排水弁１０および排水口９と、排水口９と外枠２下部側面に配した水平方向に指向した導出口１５ａとを配管する可撓性を有する断面が略蛇腹状の排水ホース１４とを備え、排水ホース１４は、排水口９に接続した排水ホースの一端１４ａ側に近接する部分の蛇腹形状を、一部の凹凸高さｈ２を径方向に対しどちらか一方側の山部高さｈ１よりも少なくとも２山以上高くし、徐々に他の凹凸高さｈ１になだらかに変化させ、前記凹凸高さｈ２部分を排水ホース１４の略９０度屈曲配管の外周側としたことにより、排水口９に接続した状態で容易にＬ字上に曲げることができ、水受け槽５の下方のスペースを最小にでき、洗濯機を小型化することができ、加工が簡単で安価な排水ホースを供給することができる。【選択図】図３
2009213812.tif 000002
【特許請求の範囲】
【請求項１】
外枠内部に防振材で支持された水受け槽と、前記水受け槽内に回転自在に支持された洗濯兼脱水槽と、前記水受け槽の下部に垂直方向に構成した排水弁および排水口と、前記排水口と外枠下部側面に配した水平方向に指向した導出口とを配管する可撓性を有する断面略蛇腹状の排水ホースとを備え、前記排水ホースは、前記水受け槽下部の前記排水口に接続した排水ホースの一端側に近接する部分の蛇腹形状を、一部の凹凸高さｈ２を径方向に対しどちらか一方側の山部高さｈ１よりも少なくとも２山以上高くし、徐々に他の凹凸高さｈ１になだらかに変化させ、前記凹凸高さｈ２部分を前記排水ホースの略９０度屈曲配管の外周側とした洗濯機。
【発明の詳細な説明】
【技術分野】
【０００１】
本発明は、外枠内部に防振支持された水受け槽が揺動するタイプの洗濯機に配置された排水ホースに関するものである。
【背景技術】
【０００２】
従来、この種の洗濯機は防振構造上、外枠内で上下左右に揺動する水受け槽側から固定側である外枠を介して機外に排水するために、合成樹脂にてなる屈曲性を有する中空蛇腹形状の排水ホースで配管し、かつ前記排水ホースを外枠に固定し機外ホースと接続していた。また、上下に揺動する水受け槽から外枠への配管途中で、排水ホースが下方に垂れ下がり、設置床面と接触して漏水しホース機能をなくなるのを防止するため、排水ホースの水受け槽側に略Ｌ字状口金部を排水ホースに一体形成し、下方に垂れ下がるのを防止する提案がされていた（例えば、特許文献１参照）。
【０００３】
図４は、従来例１の洗濯機の縦断面図、図５は従来例２としての特許文献１に記載された洗濯機の縦断面図、図６は、同洗濯機の排水ホースの断面図を示す。
【０００４】
図４において、従来例１のタイプの洗濯機９１は、外枠９３内部に水受け槽９２がばねを有する防振材９４で垂下防振支持され、水受け槽９２の底部には、水受け槽９２内部の洗濯水を排水、止水の切り替えを行う排水弁９６を構成する。
【０００５】
排水弁９６から下方に略垂直方向に筒状の排水口９７が形成され、排水口９７に排水ホース９５の一端９５ａが接続され、排水ホース９５の出口となる他端９５ｂは、洗濯機本体９１の外枠９３の下部側面に形成された略水平方向を指向する右導出口９８ａ部分に固定され、機外ホース９９に接続される。
【０００６】
排水ホース９５は、部品加工を単純化する為、可撓性のある合成樹脂で屈曲性を有するように断面中空蛇腹形状で単品部材としてはストレート形状に構成している。
【０００７】
洗濯機を据えつける場所と排水設備との関係によって、排水を洗濯機９１の右側の右導出口９８ａから取り出したい場合と、左側の左導出口９８ｂから取り出したい場合とに対応できるよう排水ホース９５を前記の屈曲性を利用して、設置時に蛇腹部を大きく屈曲させて配管し、左右選択ができるようになっている。
【０００８】
なおこの場合排水ホース９５が下方に垂れさがった場合でも排水ホース９５が床面に接触しないよう水受け槽９２の底面から床面の高さＨ１は、前記垂れ下がり寸法を考慮してやや大きく設定する。
【０００９】
図５の従来例２においては、前記従来例１で排水ホース９５が、下方に垂れ下がり床面に接触するのを防止する為、排水ホース９５の排水口９７に接続する部分をＬ字状の口金８１に形成し、垂直方向から水平方向への屈曲配管をさせることにより、垂直方向の変位を少なくしている。
【００１０】
図６の断面図に示すように、従来例２の排水ホース９５は排水口９７側のＬ字状の口金８１と、軸線の角度Ｃを略９０度傾斜した断面が中空蛇腹形状の中央部８０と、機外ホース９９側の略円筒状の接続部８２とを合成樹脂材料をブロー成形加工にて一体部品として構成する。
【００１１】
この場合水受け槽９２の底面から床面の高さＨ２は、図４で示した従来例１の寸法Ｈ１に較べてＨ２＜Ｈ１となるので、洗濯機全体の寸法を低くして使い易さを向上できる。
【特許文献１】特開昭５９−２３２５８９号公報
【発明の開示】
【発明が解決しようとする課題】
【００１２】
しかしながら、従来の構成では、例えば従来例１では、排水ホース９５の加工は単純化でき安価に提供できる効果がある一方、垂直方向から水平方向に屈曲させ配管するので、屈曲寸法が必要となり高さＨ１は大きく設定しなければならないため、洗濯機全体の高さが大きくなり、無駄なスペースの増大や、他の部品の材料費が増加する。
【００１３】
一方、従来例２の構成では、排水ホース９５の屈曲の代わりにＬ字状の口金８１を構成するので、高さＨ２は低くできるが、Ｌ字状の口金８１と中空蛇腹形状の中央部８０とを９０度中心軸線が傾斜した形状に一体加工するには、加工が複雑で一般の排水ホースに比べ高価なものになっていた。
【００１４】
本発明は上記従来の課題を解決するもので、排水ホースの形状を単純化し洗濯機における良好な排水ホースを提供することを目的としている。
【課題を解決するための手段】
【００１５】
本発明は上記の目的を達成するもので、水受け槽の下部に垂直方向に構成した排水弁および排水口と、前記排水口と外枠下部側面に配した水平方向に指向した導出口とを配管する可撓性を有する断面略蛇腹状の排水ホースを、前記水受け槽下部の前記排水口に接続した排水ホースの一端側に近接する部分の蛇腹形状を、一部の凹凸高さｈ２を径方向に対しどちらか一方側の山部高さｈ１よりも少なくとも２山以上高くし、徐々に他の凹凸高さｈ１になだらかに変化させ、前記凹凸高さｈ２部分を前記排水ホースの略９０度屈曲配管の外周側としたたものである。
【００１６】
これにより、高くした山部側を曲げの外側にすることで、一般の排水ホースの形態構造であるにもかかわらず、水受け槽下部の排水口に接続した状態で容易にＬ字上に曲げることができ、水受け槽の下方に大きなスペースを設ける必要がないので、洗濯機の小型化を図ることができる。
【００１７】
また、水受け槽が洗濯物の重みによって下がった場合であっても、排水ホースの水受け槽下部に排水口接続近傍でＬ字状に曲げることができ、水平方向に逃がすことにより、水受け槽の上下動が排水ホースに与える影響を吸収することができる。
【発明の効果】
【００１８】
本発明の洗濯機は、排水ホースを単純な加工で安価に製造し省スペース化することができる。
【発明を実施するための最良の形態】
【００１９】
第１の発明は、外枠内部に防振材で支持された水受け槽と、前記水受け槽内に回転自在に支持された洗濯兼脱水槽と、前記水受け槽の下部に垂直方向に構成した排水弁および排水口と、前記排水口と外枠下部側面に配した水平方向に指向した導出口とを配管する可撓性を有する断面略蛇腹状の排水ホースとを備え、前記排水ホースは、前記水受け槽下部の前記排水口に接続した排水ホースの一端側に近接する部分の蛇腹形状を、一部の凹凸高さｈ２を径方向に対しどちらか一方側の山部高さｈ１よりも少なくとも２山以上高くし、徐々に他の凹凸高さｈ１になだらかに変化させ、前記凹凸高さｈ２部分を前記排水ホースの略９０度屈曲配管の外周側としたことにより、水受け槽下部の排水口に接続した状態で容易にＬ字状に曲げることができ、水受け槽の下方に大きなスペースを設ける必要がないので、洗濯機の小型化を図ることができる。
【００２０】
また、水受け槽が洗濯物の重みによって下がった場合であっても、排水ホースの水受け槽下部に排水口接続近傍でＬ字状に曲げて水平方向に配管することにより、水受け槽の上下動が排水ホースに与える影響を吸収することができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における洗濯機の縦断面図、図２は同洗濯機の排水ホースの要部部分外観図、図３は、同洗濯機の排水ホース部分の組立て状態を示す要部分解図である。
【００２３】
図１において、洗濯機１本体の外枠２内部の洗濯兼脱水槽３は、底面に衣類攪拌用のパルセータ４を回転自在に配設し、洗濯兼脱水槽３を脱水回転自在に内包する水受け槽５の外底部には、モータ６を固着し、Ｖベルト７および減速機構兼クラッチ８を介して、洗濯兼脱水槽３およびパルセータ４を回転駆動するとともに、洗濯兼脱水槽３および水受け槽５等は、外枠２内部に防振材１２によって垂下防振支持されている。
【００２４】
洗濯機１本体上方内部に配設された給水弁１１から洗濯兼脱水槽３および水受け槽５に洗濯、すすぎ用の給水がなされる一方、内部の洗濯水などの排水は、水受け槽５の底部に垂直方向に構成した排水弁１０および排水口９から下方に排出される。
【００２５】
水受け槽５下部に配置した排水弁１０を介した排水口９には排水ホースの一端１４ａが接続され、排水ホース１４の出口となる他端１４ｂは外枠２の下部側面に形成された略水平方向を指向する右導出口１５ａ、または左導出口１５ｂに接続し、洗濯機を据えつける場所と排水設備との関係によって外枠２の右または左の側面から機外のアウターホース９９等により排水される。
【００２６】
排水ホース１４の詳細を図２、図３に基づいて説明する。
【００２７】
図２の要部部分外観図において、排水ホース１４は中央部分１４ｃを断面が蛇腹形状に凹凸高さをｈ１で全周均一高さに形成し、排水ホースの一端１４ａ側に近接したＡ−Ａ線部を中心に図２で下側の片面側１６を少なくとも２山以上の山部を高さｈ２で構成し、連なる山部をなだらかに高さｈ１に変化させる。このＡ−Ａ線部分は、洗濯機に組み込み時の屈曲部となる。
【００２８】
図３の組立て状態図において、排水ホース１４は、排水ホースの一端１４ａを排水弁１０に連なる排水口９に鉛直線Ｃ方向に挿入し、Ａ−Ａ線にて略９０度に曲げて、中央部分１４ｃが略水平線Ｄ方向となるように組み立てる。
【００２９】
以上のように構成された排水ホースについて、以下その動作、作用を説明する。
【００３０】
排水ホース１４のＡ−Ａ線部分を略９０度屈曲させた時、少なくとも２山以上の山部を高さｈ２で構成した片面側１６は折り曲げたとき他のｈ１部分に比較し蛇腹部の伸びが大きいのでの容易に屈曲できる。
【００３１】
従って、排水ホースの蛇腹形状において、凹凸の山高さに差を持たせた蛇腹部を水受け槽５の排水口９側に設けることで、ストレートの排水ホース１４であっても小さい半径で容易にＬ字状に曲げることができ、図１に示した水受け槽５の底面から床面の高さＨ３は、従来例１に示したように排水ホースを大きい半径で屈曲させる必要がなくなるので、大きい寸法に設定する事が不要となり水受け槽の下方に大きなスペースを設ける必要がなくなり洗濯機の小型化を図ることができる。
【００３２】
また、従来のような複雑な製造工程を必要とするＬ字状の口金を追加することもなく、加工が簡単で安価な排水ホースを供給することができる。
【００３３】
また、水受け槽が洗濯物の重みによって下がった場合であっても、排水ホースの水受け槽下部に排水口接続近傍でＬ字状に曲げることができ、水平方向に逃がすことにより、水受け槽の上下動が排水ホースに与える影響を吸収することができる。
【産業上の利用可能性】
【００３４】
本発明にかかる洗濯機は、排水ホースを単純な加工で安価に製造し省スペース化することができるので、パルセータを有する洗濯機のみならず、ドラム式洗濯機等の用途にも適用できる。
【図面の簡単な説明】
【００３５】
【図１】本発明の実施の形態１おける洗濯機の縦断面図
【図２】同洗濯機の排水ホースの要部部分外観図
【図３】同洗濯機の排水ホース部分の組立て状態を示す要部分解図
【図４】従来例１の洗濯機の縦断面図
【図５】従来例２の洗濯機の縦断面図
【図６】同洗濯機の排水ホースの断面図
【符号の説明】
【００３６】
２      外枠
３      洗濯兼脱水槽
５      水受け槽
９      排水口
１０    排水弁
１４    排水ホース
１４ａ  排水ホースの一端
１５ａ  右導出口
１５ｂ  左導出口
【図１】
2009213812.tif 000003
【図２】
2009213812.tif 000004
【図３】
2009213812.tif 000005
【図４】
2009213812.tif 000006
【図５】
2009213812.tif 000007
【図６】
2009213812.tif 000008